(57)【要約】【課題】  本発明の目的は、現場（設置場所）の壁の障害物や壁補強の位置、あるいは壁材の強度等の状態により、アンカーの固定位置を、現場で変更せざるをえない場合であっても容易に変更することが可能な配管ユニットを提供することにある。 【解決手段】  内部に配管を収納するフレームと前記フレームに着脱可能に取り付けられる化粧板とからなる配管ユニットであって、複数の穴を有する長辺の壁固定部材を設け、前記壁固定部材の一つの穴をフレームに固定し、他の穴を前記壁に固定することを特徴とする配管ユニット。【選択図】  図３
2005264619.tif 000002
【特許請求の範囲】
【請求項１】
内部に配管を収納するフレームと前記フレームに着脱可能に取り付けられる化粧板とからなる配管ユニットであって、複数の穴を有する長辺の壁固定部材を設け、前記壁固定部材の一つの穴を前記フレームに固定し、他の穴を前記壁に固定することを特徴とする配管ユニット。
【請求項２】
前記壁固定部材の壁に固定する穴が長穴であることを特徴とする、請求項１に記載の配管ユニット。
【請求項３】
前記壁固定部材の前記フレームに固定する穴が長穴であることを特徴とする、請求項１から２のいずれか１つに記載の配管ユニット。
【請求項４】
前記壁固定部材は穴を有する面と、前記穴を有する面から略９０度に立ち上がった面を有することを特徴とする請求項１から３のいずれか１つに記載の配管ユニット。
【発明の詳細な説明】
【技術分野】
【０００１】
本発明は、内部に配管を収納するフレームと前記フレームに着脱可能に取り付けられる化粧板とからなる配管ユニットに関する。
【背景技術】
【０００２】
従来の技術を図１、２、１０、１１に基づき説明する。
図１０は、従来の配管ユニットのケーシング構造を示す斜視図であり、図１１はそれの断面図、図１は壁固定部廻りの斜視図、図２は壁固定部廻りの平面図である。
従来の配管ユニットの構造では、枠状のフレーム１内に配管類を収納、支持し、前記フレーム１の上部に天板５、下部に幅木４、前面に前面板３を取り付け、前記前面板に大便器６、便座７を取り付けている。
また、前記フレーム１は、図１に示すようにアンカー１７、壁固定用ワッシャー１６、アンカーボルト１４、ロックナット１５で構成される壁固定部材一式１３を用いて壁に取り付けられた壁固定用横材１１により、コンクリートなどの建築躯体壁へ固定されている。（例えば特許文献１参照）
【０００３】
【特許文献１】特開２００３−２７８２５８号公報（図７、図８、図５、図６）
【０００４】
壁固定用横材１１は前記壁固定用横材１１に設けられた角穴１２に壁固定用ワッシャー１６を介して、アンカーボルト１４を貫通させ、前記アンカーボルト１４を、予め躯体壁に打ち込まれたアンカー１７に螺合して、壁面に取り付けていた。
【発明の開示】
【発明が解決しようとする課題】
【０００５】
配管ユニットを取り付ける壁がコンクリート壁で、十分な取り付け強度があれば、アンカー１７を壁のどの位置に取り付けても問題ない。
しかし、壁固定位置周辺に障害物があり前記アンカー１７を取り付けることができない場合や、壁下地の状態にムラがあったり、あるいは壁下地が軽鉄で、部分的にしか壁固定用の補強がされてない場合がある。
【０００６】
このような場合、前記アンカー１７の固定位置が角穴１２に収まる範囲外の場合は現場（設置場所）で前記アンカー１７の固定位置を変更し、それに伴って前記壁固定用横材１１の、前記アンカー１７の変更後の固定位置に対応する箇所に穴を空け直す、という作業が伴い、これは現場では困難であった。
【０００７】
実際、従来の配管ユニットでは、前記ケーシングを取り付けようとした際に、壁固定の位置がアンカーボルト１４を貫通させる角穴１２の範囲と違っている際に、アンカー１７の固定位置を変更しなければならない場合、その変更には、鉄製の壁固定用横材１１への開口作業が伴うため、現場（設置場所）では困難であり、また鉄への開口作業のため、周辺に火花が飛散し危険であるという問題があった。加えて、壁固定用横材１１に穴を複数開口することになるので、前記壁固定用横材１１の強度が低下し、壁固定部にかかる荷重によって前記壁固定用横材１１が変形をきたし、配管ユニットにたつきが生じる恐れがあるという問題があった。
【０００８】
そこで本発明は、上記問題を解決するためになされたもので、本発明の目的は、現場（設置場所）の壁の障害物や壁補強の位置、あるいは壁材の強度等の状態により、アンカーの固定位置を現場で変更せざるをえない場合であっても、壁に固定する固定部材の固定用穴の位置を適宜選択することによって容易に前記アンカーの固定位置を変更することが可能な配管ユニットを提供することにある。
【課題を解決するための手段】
【０００９】
請求項１に係る発明は、内部に配管を収納するフレームと前記フレームに着脱可能に取り付けられる化粧板とからなる配管ユニットであって、複数の穴を有する長辺の壁固定部材を設け、前記壁固定部材の一つの穴をフレームに固定し、他の穴を前記壁に固定することを特徴とする。
【００１０】
請求項２に係る発明は、前記壁固定部材の壁に固定する穴が長穴であることを特徴とする。
【００１１】
請求項３に係る発明は、前記壁固定部材の前記フレームに固定する穴が長穴であることを特徴とする。
【００１２】
請求項４に係る発明は、前記壁固定部材は穴を有する面と、前記穴を有する面から略９０度に立ち上がった面を有することを特徴とする。
【発明の効果】
【００１３】
請求項１に係る発明では、内部に配管を収納するフレームと前記フレームに着脱可能に取り付けられる化粧板とからなる配管ユニットであって、複数の穴を有する長辺の壁固定用部材を設け、前記壁固定部材の一つの穴をフレームに固定し、他の穴を前記壁に固定することを特徴としている。
壁にフレームを固定する際、壁固定部材のフレームに固定する穴を中心にして、前記壁固定用部材を回転させることによって壁に固定する穴の位置を自由に変更することができる。また、前記壁固定用部材には複数の穴が設けられているため、壁に固定する穴の位置を変更することにより、フレームに固定する穴の位置から壁に固定する穴の位置までの距離を自由に変更できる。実際、フレームを壁に固定する場合は、予め躯体壁に配置されているアンカー等に固定するが、フレームに固定する穴の位置からアンカーが配置されている位置がずれている場合や、壁自体の強度が不足するなどで、所定の位置にアンカーを配置できない場合でも、前記壁固定用部材に設けられた複数の穴から、壁に固定する穴を適宜選択することによって、アンカーのある位置に壁固定部材を固定することができる。
【００１４】
請求項２に係る発明では、前記壁固定用部材の壁に固定する穴が長穴であることを特徴としている。
請求項３に係る発明では、前記壁固定用部材のフレームに固定する穴が長穴であることを特徴としている。
【００１５】
本発明によれば、前記壁固定用部材のフレームに固定する穴、もしくは壁に固定する穴が長穴であるので、フレームおよび壁との連結・固定を前記長穴内の広い範囲で行えることになり、それに連動してフレームに固定する穴を中心に壁固定用部材を回転させることによって前記壁に固定できる穴の範囲は大きくなり、より広い範囲で壁を固定することが可能となる。
【００１６】
請求項４に係る発明では、前記壁固定用部材は穴を有する面と、その面から立ち上がった面を有することを特徴としている。
【００１７】
前記配管ユニットに壁掛便器等の衛生設備を取り付けた場合、前記壁固定用部材の壁固定部分には、壁面から鉛直方向に壁固定用部材を引っ張る方向に相当な荷重がかかり、前記荷重によって壁固定用部材に変形などが伴うと、前記配管ユニットにがたつきが生じたりする。本発明によれば、前記壁固定用部材は穴を有する面と、その面から立ち上がった面を有する、つまり断面形状をコの字型にしたので、平板形状よりも前記荷重に耐えうることができる。
【００１８】
また、前記壁固定用部材の断面形状をコの字型にしたので、前記壁固定用部材の断面三面と壁面で囲まれたスペースに壁固定用横材と壁固定用部材とを連結・固定するためのロックナットを入れることができる。ここで前記壁固定用部材の断面三面のうちの壁面と平行な面と、壁面との間の距離だけ遊びが生まれ、前記壁固定用横材と前記壁固定用部材とを連結するボルトを前記遊びの寸法分動かすことが可能であるので、配管ユニット施工時に壁面に対して垂直な方向における寸法・水平調整が容易になる。
【発明を実施するための最良の形態】
【００１９】
発明の実施の形態を図３、４、６に基づいて以下に説明する。
図３は本発明の配管ユニットの壁固定部廻りの斜視図である。図４は壁固定部廻りの断面図である。
【００２０】
図３に示すように配管ユニットの壁固定用横材１１には、壁固定用部材２１と連結するための角穴１２が設けられている。また、壁固定用部材２１には、同じく壁固定用横材１１と連結するための穴２３と、壁固定用の穴２０が設けられている。
また、壁固定用横材１１と壁固定用部材２１の連結にはボルト２４、ワッシャー２６、ロックナット２５の３部品で、また壁固定用部材２１を壁に取り付けるには、アンカーボルト１４、ロックナット１５、ワッシャー１６、アンカー１７の４部品によって成されている。
【００２１】
壁固定用部材２１と壁固定用横材１１を穴２３と角穴１２を貫通するボルト２４によって連結する。ロックナット２５を締切るまでは壁固定用部材２１はボルト２４を中心に回転させることができる。
【００２２】
図５は壁固定用部材２１を回転させた際の壁固定用穴２２の軌跡を表す。
壁固定用部材２１とフレームの壁固定用横材１１とを連結するボルト２４を中心にして、前記壁固定用部材２１を回転させることによって壁固定用穴２２の位置しうる範囲は、図５に示す壁固定可能範囲２７となり、前記壁固定可能範囲２７でアンカー１７の固定が可能であるため、アンカー１７の固定位置を前記フレームの壁固定用横材１１の角穴１２の範囲外に現場で変更せざるをえない場合であっても容易に変更することができる。
【００２３】
この軌跡の範囲２７内の壁に、予め打ち込まれた雌ねじ部を持つアンカー１７に壁固定用部材２１の壁に固定する穴２２に対し、壁固定ワッシャー１６を介しアンカーボルト１４を貫通させ、前記アンカーボルト１４を螺合することで前記壁固定用部材２１を壁に取り付けることが出来る。
また、前記ロックナット２５を締切ることにより、前記壁固定用横材１１と前記壁固定用部材２１とを固定し、配管ユニットのケーシングを壁に取り付けることが出来る。
【００２４】
また、本発明のさらに好ましい形態として、前記壁固定部材２１の壁に固定する穴２２を長穴にすることができる。この場合もフレームとの連結・固定を前記長穴内の広い範囲で行えることになり、それに連動して前記ボルト２４を中心に壁固定用部材２１を回転させることによって前記穴２２の位置しうる範囲は、図６に示す壁固定範囲２８のように大きくなり、より広い範囲で壁固定をすることが可能となる。
【００２５】
また、本発明の好ましい形態として、前記壁固定用部材２１のフレームに固定する穴２３を長穴にすることができる。この場合、フレームとの連結・固定を前記長穴内の広い範囲で行えることになり、それに連動して前記ボルト２４を中心に壁固定用部材２１を回転させることによって前記穴２２の位置しうる範囲は、図７に示す壁固定範囲２９のように大きくなり、より広い範囲で壁固定をすることが可能となる。
【００２６】
また、本発明のさらに好ましい形態として、前記壁固定用部材２１の断面形状をコの字型にしたので、図８に示される前記壁固定用部材２１の断面三面と壁面で囲まれたスペース３０に、壁固定用横材１１と前記壁固定用部材２１を連結・固定するためのナット３１を入れることができる。ここで前記壁固定用横材１１と前記壁固定用部材２１を連結するボルト２４を前記スペース３０の範囲内で動かすことが可能であるので、配管ユニット施工時の壁面に対して垂直な方向における寸法・水平調整が容易になる。
【００２７】
図９は本発明にかかる他の実施例を示す図である。
図９における前出調節用部材３２は、主に配管ユニットの端部等で用いられる。前記前出調節用部材３２に螺合されるアジャスターボルト３３は、壁に突っ張り作用を与え、またアジャスターボルト３３を回転させることで、配管ユニットのケーシングと壁との位置関係を微調整し、配管ユニットの前出を調節することができる。
【００２８】
従来、配管ユニットの端部は、中央の壁に固定するコアのフレームとは固定するが、壁との固定は行わない。しかし前記配管ユニットの間口が広い場合など、前記前出調節用部材３２と前記コアのフレームとの距離が遠い場合、前記前出調節用部材３２周辺、つまり配管ユニット端部周辺では壁への固定が成されていないので、前記配管ユニット端部は不安定でがたつきが生じる可能性がある。また、前記配管ユニットの端部を壁面に固定しようとすると、固定位置が側面の壁に近く、また端部のケーシング柱の裏ということもあり困難である。そこで壁固定用部材２１を用いると壁固定範囲が広いため、自由に配管ユニットの端部を壁に固定することができる。
【００２９】
前記前出調節用部材３２にアジャスターボルト３３を螺合させロックナット２５をかまし、壁固定用部材２１の穴２３に貫通させる。その後にロックナット３１をアジャスターボルト３３の先端に取り付ける。
ロックナット３１が共回りしないように固定し、アジャスターボルト３３で配管ユニットの前出を調節する。図Ｆの前記壁固定可能範囲２８内に予め打ち込まれた雌ねじ部を持つアンカー１７に壁固定用部材２１の穴２２に対し、壁固定ワッシャー１６を介してアンカーボルト１４を貫通させ、前記アンカーボルト１４を螺合させることで前記壁固定用部材２１を壁に取り付けることが出来る。
また、ロックナット２５を締切ることにより、前記前出調節用部材３２と前記壁固定用部材２１とを固定し、配管ユニットの端部を壁に固定することができる。
【図面の簡単な説明】
【００３０】
【図１】図１は、従来の配管ユニットの壁固定部廻りの斜視図である。
【図２】図２は、従来の配管ユニットの壁固定部廻りの平面図である。
【図３】図３は、本発明の配管ユニットの壁固定部廻りの斜視図である。
【図４】図４は、本発明の配管ユニットの壁固定部廻りの断面図である。
【図５】図５は、本発明の配管ユニットの壁固定部材の壁固定穴の位置しうる範囲を示す第１の図である。
【図６】図６は、本発明の配管ユニットの壁固定部材の壁固定穴の位置しうる範囲を示す第２の図である。
【図７】図７は、本発明の配管ユニットの壁固定部材の壁固定穴の位置しうる範囲を示す第３の図である。
【図８】図８は、本発明の配管ユニットの壁固定部材廻りの断面図である。
【図９】図９は、本発明にかかる他のもう一つの実施例を示す図である。
【図１０】図１０は、従来の配管ユニットの構造を示す斜視図である。
【図１１】図１１は、従来の配管ユニットの構造を示す断面図である。
【符号の説明】
【００３１】
１…配管ユニットのフレーム
２…配管類
３…前面板
４…幅木
５…天板
６…便器
７…便座
１１…壁固定用横材
１２…固定用角穴
１３…壁固定部材一式
１４…壁固定用ボルト
１５、２５、３１…ロックナット
１６…壁固定用ワッシャー
１７…アンカー
２１…壁固定用部材
２２…壁固定用穴
２３…連結用穴
２４…連結用ボルト
２６…連結用ワッシャー
２７、２８、２９…壁固定可能範囲
３０…スペース
３２…前出調節用部材
３３…アジャスターボルト
【図１】
2005264619.tif 000003
【図２】
2005264619.tif 000004
【図３】
2005264619.tif 000005
【図４】
2005264619.tif 000006
【図５】
2005264619.tif 000007
【図６】
2005264619.tif 000008
【図７】
2005264619.tif 000009
【図８】
2005264619.tif 000010
【図９】
2005264619.tif 000011
【図１０】
2005264619.tif 000012
【図１１】
2005264619.tif 000013